(57)【要約】【課題】簡易な構成で特定方向に遊技球を導くことの出来るパチンコ機用風車を提供する。【解決手段】カバー７は、回動軌跡Ｋの径方向周囲を覆う被覆部７０と球誘導部７３とを有している。また、球誘導部７３は、風車本体２（および回動軌跡Ｋ）から図３(c)において左上方（左斜め上方向）に突出し、その突出先端部７３ｐは、風車本体２の上方よりも左側に偏位して形成されている。また、球誘導部７３は、若干凹状にカーブし、風車本体２の左側上方にあった遊技球６を風車本体２の右側に向けて誘導する風車球誘導面７３ｓを有している。特に、先端部７３ｐが風車本体２の上方よりも左側（左斜め上方向）に大きく偏位して形成されている。【選択図】図３
2007196046.tif 000002
【特許請求の範囲】
【請求項１】
軸と、この軸を中心として回転自在に取り付けられ羽根を有する風車本体と、この風車本体が回動してなす軌跡よりも外側に設けられ該回動軌跡の径方向周囲の一部を覆う被覆部を有するカバーとを備え、
前記カバーは、遊技盤面に取り付けられたときに、前記回動軌跡よりも径方向外方に突出し遊技球を前記風車本体に向けて誘導する風車球誘導部を有し、
前記風車球誘導部は、前記カバーが遊技盤面に取り付けられたときに、その先端部が前記風車本体の上方よりも右方または左方に偏位しているパチンコ機用風車。
【発明の詳細な説明】
【技術分野】
【０００１】
本発明は、パチンコ機の遊技盤面に取り付ける風車に関する。
【背景技術】
【０００２】
パチンコ機の遊技盤面に設けるパチンコ機用風車の例としては、実公昭４６−３２０９０号公報に開示されたものが知られている。図６は、かかる風車のうち風車主体を遊技盤面側から遊技盤面及び止め釘（軸）を省略して示したものであり、風車主体５１は、前側（正面）に金属板が取り付けられた形状を有している。風車主体５１は、３枚の羽根５３，５３・・が、釘保持部５２に放射状に取り付けられるとともに、各羽根５３，５３・・の前側に設けられた突出段部５３ａの先端が、環状板５４で通絡された形状を有している。そして、風車主体５１は、釘保持部５２を遊嵌した釘によって遊技盤面に打ち付けられて回転自在に設置される。このような風車は、遊技球が風車に衝突して風車を回転させることにより美観を与えるとともに、風車に衝突した遊技球を略下方にランダムに振り分けて進行（流下）させる役割を果たすものである。
【発明の開示】
【発明が解決しようとする課題】
【０００３】
ところで、遊技球を入賞口その他特定の位置や方向に導きたい場合がある。このような場合に、遊技盤面のセンター部の役物周辺であれば、この役物に付随した機構を形成して遊技球を所望の方向に導くことが出来る場合もある。
しかし、センター部でない場所では、このような機構を形成することは、コストや場所の点で困難である。また、役物の構造上、このような機構を付加して形成することが出来ない場合もある。そこで、風車等のあまり大きくない盤面構成物によって、遊技球を特定方向に導くことが出来ると都合がよい。
【０００４】
このような風車の例として、風車の回転方向を一方向（時計回りまたは反時計回り）とするべく風車内にクラッチ手段を形成したものが知られている（特開平６−２４６０３５号）。この風車によれば遊技球を特定方向に誘導することが出来る。
しかし、クラッチ機構付きの風車は製造困難でコストが高く、回転もクラッチ機構があるためにスムーズではない。また、既存の風車を使用することが出来ないため、新たにクラッチ機構付きの風車に置き換える必要がある。
本発明はかかる問題点に鑑みてなされたものであって、簡易な構成で特定方向に遊技球を導くことの出来るパチンコ機用風車を提供することを目的とする。
【課題を解決するための手段】
【０００５】
上記目的を達成するために請求項１に記載の発明は、軸と、この軸を中心として回転自在に取り付けられ羽根を有する風車本体と、この風車本体が回動してなす軌跡よりも外側に設けられ該回動軌跡の径方向周囲の一部を覆う被覆部を有するカバーとを備え、前記カバーは、遊技盤面に取り付けられたときに、前記回動軌跡よりも径方向外方に突出し遊技球を前記風車本体に向けて誘導する風車球誘導部を有し、前記風車球誘導部は、前記カバーが遊技盤面に取り付けられたときに、その先端部が前記風車本体の上方よりも右方または左方に偏位しているパチンコ機用風車を要旨とする。
【０００６】
ここで、軸は、釘を用いてもよく、釘の場合には遊技盤面に釘（軸）を打ち込むことにより風車本体を遊技盤面に取り付けることが出来る。一方、この軸は風車用台板を介して遊技盤に取り付けられても良い。
風車本体は、この軸に遊嵌状に取り付けられても、この軸とともに回転しても良い。風車本体がこの軸を中心として回動すると、羽根の形状にもよるが、その回動軌跡は略円柱形状となる。
また、本願において風車には、風車本体の背面側にランプ等の発光体を備えるランプ付き風車などをも含む。
【０００７】
本発明によれば、風車本体が回動してなす軌跡よりも外側に設けられ該回動軌跡の径方向周囲の一部を覆うカバーの風車球誘導部の先端部が風車本体の上方よりも右方または左方に偏位しているので、上方から落下してくる遊技球のうち、風車球誘導部がなければ風車本体と衝突しないはずの遊技球を、風車球誘導部により風車本体に向けて誘導するので、多くの遊技球を特定方向に導くことができる。
なお、この風車球誘導部が形成する風車球誘導面としては、略平面とするほか、先端部から風車本体に向けて緩やかな凹面としても良い。
【発明を実施するための最良の形態】
【０００８】
以下に、本発明にかかるパチンコ機用風車を図面とともに説明する。各図において、（ａ）はパチンコ機用風車の斜視図、（ｂ）は平面図、（ｃ）は正面図、（ｄ）は右側面図を示す。
（実施態様１）
まず図１と共に第１の実施態様について説明する。
風車１は、風車本体２、台板３、軸８、カバー７を有する。風車本体２、台板３、カバー７は、全体が均質なポリアセタールからなる。また、風車本体２は、正面に１０枚の菊花状の模様が施され、第一羽根面２ａと第二羽根面２ｂとでなす羽根２ｃを１０枚有している。さらに、各羽根２ｃ相互間、即ち、隣接する羽根２ｃの第一羽根面２ａと第二羽根面２ｂとの間の谷間を埋めるように羽根間部５が設けられ、遊技球６が隣接する羽根２ｃの谷間に深く入り込まないようにされている。
【０００９】
また風車本体２の中心には、正面側を底部として有底円筒状にされた軸保持部（軸受部）４の軸孔４ａが形成されている。風車本体２は軸孔４ａに遊嵌状に挿通した軸８を中心として回転自在にされており、その回動したときの軌跡（回動軌跡）Ｋは略円柱状をなす。軸８は基板９を貫通し、基板９の背面側（図１(d)において右側）でＥ型リングにより抜け止め処理がなされている。さらに、基板９はスペーサ１０を介して台板３に固着されている。これにより、釘などにより台板３を遊技盤面Ｓに固定することで、風車本体２の各羽根面２ａ、２ｂおよび軸８が遊技盤面Ｓに垂直に、かつガラス面Ｇと風車本体２とがわずかに隙間を有するようにして、風車１が遊技盤面Ｓに取り付け可能となっている。
【００１０】
また、基板９にはランプ１１が二カ所形成され、台板に形成された貫通孔（図示しない）を通じて風車本体２の背面を臨んでいるので、ランプ１１を点滅させると、風車本体２が明滅するようにされている。
【００１１】
さらに、台板３の正面から見て（図１(c)）左側には、回動軌跡Ｋよりも外側（径方向外側）に、回動軌跡Ｋの径方向周囲（円筒部）の左半分を覆う略二分の一円弧形状のカバー７が一体に、かつ台板３に対して略垂直に形成されている。このカバー７は、風車１を遊技盤面Ｓに取り付けたときに、軸８を通る水平面Ｂ−Ｂより上方の上方被覆部７１と水平面Ｂ−Ｂより下方の下方被覆部７２とからなる被覆部７０を備える。この上方被覆部７１は、回動軌跡Ｋの径方向周囲のうち左上四分の一、即ち、軸８を中心とする時計板で表示すると、９時〜１２時の角度にかけての径方向周囲の部分を覆うようにして、略四分の一円弧形状で形成されている。また、下方被覆部７２は、回動軌跡Ｋの径方向周囲のうち左下四分の一、即ち、同様に６時〜９時の角度にかけての径方向周囲の部分を覆うようにして、略四分の一円弧形状で形成されている。
【００１２】
ここで、カバー７と風車本体２との間には、風車本体２を回転自在とするための隙間が形成されるようになっているが、この隙間は遊技球６が入り込めない程度の隙間とされている。遊技球６が入り込むことができる大きさの隙間があると、隙間に遊技球６が挟まって動かなくなったり、風車本体２とカバー７との間を遊技球６が通過して希望しない方向へ遊技球６が流下するので、これを防ぐためである。具体的には、この隙間は、遊技球６の直径の半分以下とすると確実に上記のような不具合を防止できる。前記した羽根間部５は羽根２ｃ相互間の谷部を埋めて、この隙間を小さくする。
【００１３】
このような風車１を遊技盤面Ｓに取り付けたパチンコ機において、発射ハンドルが操作されて遊技球６が遊技盤面Ｓの上部に打ち込まれ、その後例えば、図１(c)中に示す矢印Ａのように下方に向けて落下進行してくる遊技球６は、矢印Ａより左側寄りに落下してきた場合には、遊技球６はカバー７に衝突して概略左横方向に大きく弾かれ、風車本体２に衝突することがない。
【００１４】
一方、遊技球６が矢印Ａより右側寄りに落下してきた場合には、カバー７（上方被覆部７１）に衝突することなく風車本体２の第一羽根面２ａに衝突して、風車本体２を図中時計方向に回転させつつ、遊技球６も略右下方向に流下する。従って、風車本体２は一定方向（本例では時計回り）に回転する。また、遊技球６が、反時計回りに回転している風車本体２の羽根２ｃと衝突することがないので、風車本体２との衝突により遊技球６の落下速度が大きく減殺されることがない。従って、右寄りに落下した遊技球６は、概略特定の方向（本例では、左下方向）に流下、進行するように誘導できることとなる。
【００１５】
また、場合によっては、例えば、矢印Ａ１として記載したように下方（本例では、左下方）から風車本体２に向かって遊技球６が進行してくる場合がある。このような場合には、下方被覆部７２がないと、この遊技球６によって風車本体２が反時計方向に回転させられることも考えられる。しかし、下方被覆部７２がこのような遊技球６の風車本体２への衝突を遮るので、結局、風車本体２は一定方向（本例では時計回り）にのみ回転させられ、風車本体２に衝突した遊技球６を特定方向に誘導することができる。
（変形例１）
図２に記載の風車１は、上記第１実施態様の変形例であり、実施態様１と同様な点については記載を省略して説明する。図１の風車においては、カバー７の上方被覆部７１の上端（上右端）は、遊技盤面Ｓおよび台板３に対して直交し、かつ軸８（軸孔４ａ）の直上に位置するように形成されていた。一方、本例においては、上方被覆部７１の上端（上右端）が、軸８の略直上において遊技球６の半径程度引き下がるようにして、遊技盤面Ｓおよび台板３に対して斜めに切り欠かれた切り欠き面７１ａを有している。
【００１６】
ここで遊技球６が、軸８（軸孔４ａ）の鉛直線上直上から矢印Ａのように垂直に落下してきた場合、切り欠き面７１ａに接触した遊技球６は、風車本体２を時計方向に回動させる。そして、この遊技球６も風車本体２と共に回動して、風車本体２を回転させつつ右方向に落下進行してゆく。従って、遊技球６がカバー７の上端付近で球詰まりを起こすことはない。即ち、カバー７の上方被覆部７１の上端は、軸８の直上よりも若干（遊技球６の半径程度）までであれば、引き下がって形成されていても良いことが判る。
（実施態様２）
第２の実施態様に係る風車１を図３に示す。本例においても実施態様１と同様な部分については図３に同じ符号を付し、説明を省略する。この風車１の風車本体２は６枚の羽根２ｃを有し、その正面には星形模様が施されている。また、カバー７は、上記実施態様１とは異なり、台板３とは別体として構成され、独立して遊技盤面Ｓに取り付けられるようになっている。このため、既存の風車本体２や台板３を交換することなくカバー７のみを追加して取り付けることも可能である。
【００１７】
このカバー７は、回動軌跡Ｋの径方向周囲を覆う被覆部７０と球誘導部７３とを有している。この被覆部７０は、軸８を通る水平面Ｂよりも上方の回動軌跡Ｋの径方向周囲を四分の一円弧状に覆う上方被覆部７１と、同様に水辺面Ｂより下方の回動軌跡Ｋの径方向周囲を八分の一円弧状、即ち７．５時〜９時の角度で覆う下方被覆部７２とからなる。この被覆部７０（および上方、下方被覆部７１，７２）は、前記実施態様１と同様に風車本体２の左側に遊技球６が衝突するのを防いでいる。
【００１８】
また、球誘導部７３は、風車本体２（および回動軌跡Ｋ）から図３(c)において左上方（左斜め上方向）に突出し、その突出先端部７３ｐは、風車本体２の上方よりも左側に偏位して形成されている。また、本例の球誘導部７３は、若干凹状にカーブし、風車本体２の左側上方にあった遊技球６を風車本体２の右側に向けて誘導する風車球誘導面７３ｓを有している。特に、本例においては、先端部７３ｐが風車本体２の上方よりも左側（左斜め上方向）に大きく偏位して形成されているために、本来であれば、風車本体２に衝突しないで落下する遊技球６をも、この風車球誘導面７３ｓによって風車本体２に導くことができるので、より多くの球技球６を風車本体２の時計方向の回転と共に略右下方に流下するように誘導することができる。
（実施態様３）
第３の実施態様に係る風車１を第４図に示す。本例においても実施態様１と同様な部分については図４に同じ符号を付し、説明を省略する。本例の風車１は、台板やランプ等を有さず、遊技盤面Ｓに釘（軸）８を打ち込むことで、風車本体２を遊技盤面Ｓに回転自在に保持する単純風車の例である。この風車１の風車本体２には、３枚の平板状の羽根２ｃが遊技盤面Ｓおよび軸保持部４の側面に垂直になるように設けられ、ガラス面Ｇ側の風車本体２の正面には金属製円板状の風車化粧板２ｄが固着されている。また、この羽根２ｃは、軸８方向の幅が軸保持部４の長さの約半分で正面側（化粧板２ｄ側）に形成されている。このため、羽根２ｃと遊技盤面Ｓとの間には、比較的大きな隙間が形成されることとなる。
【００１９】
一方、カバー７は、風車本体２の回動軌跡の径方向周囲を覆う被覆部７０、球誘導部７３および防球部７６とを有している。この被覆部７０は、軸８を通る水平面Ｂ−Ｂよりも上方の回動軌跡の径方向周囲を略八分の一円弧状に、即ち、９時〜１０．５時の角度にわたって覆う上方被覆部７１と、同様に水辺面Ｂより下方の回動軌跡Ｋの径方向周囲を六分の一円弧状に、即ち、７時〜９時の角度にわたって覆う下方被覆部７２とからなる。この被覆部７０（および上方、下方被覆部７１，７２）は、上記実施態様１と同様に風車本体２の左側に遊技球６が衝突するのを防いでいる。
【００２０】
また、球誘導部７３は、風車本体２（および回動軌跡Ｋ）から図４(c)において左上方（左斜め上方向）に突出し、その突出先端部７３ｐは、風車本体２の上方よりも左側に偏位して形成されている。また、本例の球誘導部７３は、上面が若干凹状にカーブし、風車本体２の左側上方にあった遊技球６を風車本体２の上部に向けて誘導する風車球誘導面７３ｓを有している。誘導面７３ｓによって風車本体２上部に誘導された遊技球６は、誘導される時に得た速度によって羽根２ｃに衝突しつつ風車本体２を時計回りに回転させ、それと共に遊技球６自身が略右下方向に流下する。特に、本例においては上記実施態様２と同様に、先端部７３ｐが風車本体２の上方よりも左側（左斜め上方向）に大きく偏位して形成されているために、本来であれば、風車本体２に衝突しないで落下する遊技球６をも、この風車球誘導面７３ｓによって風車本体２に導くことができるので、より多くの球技球６を風車本体２の時計方向の回転と共に略右下方に流下するように誘導することができる。
【００２１】
さらに、上述のように幅が短い羽根２ｃと遊技盤面Ｓとの間の隙間（あるいは、軸保持部４とカバーの被覆部７０との間）に遊技球６が挟まって球詰まりを生じるのを防ぐために、防球部７６は、風車本体２の回動軌跡とわずかな間隔をあけて軸保持部４の近傍から被覆部７０（７１、７２）にかけて、正面から見て（図４(c)）略扇形状をなすように形成されている。また、この防球部７６の上面７６ｓは、上述の風車球誘導面７３ｓの延長面をなすようにされている。これにより、風車球誘導面７３ｓにより誘導されてきた遊技球６が、球詰まりを生じることも防止される。
【００２２】
なお、カバー７は風車本体２とは別体で形成されているので、既存の単純風車（本例の風車本体及び釘）に、単にカバー７のみ取り付けても本例の風車１を構成することができる。
（実施態様４）
第４の実施態様に係る風車１を図５に示す。本例においても実施態様１と同様な部分については図５に同じ符号を付し、説明を省略する。本例の風車１のカバー７は、台板３とは別体とされ、被覆部７０（７１、７２）のほか、第１誘導部７３ａ及び第２誘導部７３ｂを有する。また、カバー７は、風車本体２の略上方に突出する第１誘導部７３ａの右斜面の風車球誘導面７３ｓのほかに、第１誘導部７３ａの左斜面及び風車本体２の略左方に突出する第２誘導部７３ｂの上部斜面とで形成され、図５(c)において左下がりの傾斜を持ち凹状にカーブした流下球誘導面７３ｔを有する。
【００２３】
本例においては、第１誘導部７３ａの突出先端部７３ｐが、風車本体２の略上方やや左寄りに位置するようにされているので、上述の第２、第３実施態様の場合ほどにはこの遊技球６を風車本体２に誘導することは出来ない。
一方、突出先端部７３ｐから左下方向に傾斜する流下球誘導面７３ｔによって、多くの遊技球６を図５(c)において左下方向に誘導することができる。即ち、本例の風車によれば、２つの方向、具体的には、風車本体２と衝突した遊技球６は、右下方向に流下するように誘導することができ、一方、流下球誘導面７３ｔに衝突した遊技球６は、左下方向に流下するように誘導することができる。
【００２４】
本発明は、上記した各実施態様の形状や構造に限定されるものではなく、本発明の要旨を逸脱しない範囲で適宜変更して使用することができる。
【００２５】
上記例においては、風車本体、台板、カバーをポリアセタールで形成した例を示したが、材質はこれに限定されず、ＡＢＳ、ポリカーボネートその他の合成樹脂で形成することができる。さらに、複数の同一または異なる素材の部品を組み合わせて形成することも可能である。さらには、金属板を折り曲げ形成して部品とすることも可能であり、コストや製造の容易生を考慮して適宜選択すればよい。
【００２６】
また、台板とカバーとを一体で形成した例や、両者を別体として別個に遊技盤面に取り付ける場合について記載したが、その他、両者を別体として製作し、その後、接合、螺合あるいは係合させて一体として用いても良い。
【図面の簡単な説明】
【００２７】
【図１】第１の実施形態に係る風車の斜視図、平面図、正面図および右側面図である。
【図２】第１の実施形態の変形例に係る風車の斜視図、平面図、正面図および右側面図である。
【図３】第２の実施形態に係る風車の斜視図、平面図、正面図および右側面図である。
【図４】第３の実施形態に係る風車の斜視図、平面図、正面図および右側面図である。
【図５】第４の実施形態に係る風車の斜視図、平面図、正面図および右側面図である。
【図６】従来の風車を示す説明図である。
【符号の説明】
【００２８】
１              風車
２              風車本体
２ａ、２ｂ      羽根面
２ｃ            羽根
２ｄ            風車用化粧板
３              台板
４              軸保持部
４ａ            軸孔
５              羽根間部
６              遊技球
７              カバー
７０            被覆部
７１            上方被覆部
７２            下方被覆部
７３            誘導部
７６            防球部
７３Ｓ          風車球誘導面
７３ｔ          流下球誘導部
８              軸（釘）
５１            風車
５２            釘保持部
５３            羽根
【図１】
2007196046.tif 000003
【図２】
2007196046.tif 000004
【図３】
2007196046.tif 000005
【図４】
2007196046.tif 000006
【図５】
2007196046.tif 000007
【図６】
2007196046.tif 000008